(57)【要約】【課題】円筒形または楕円筒形の物品の収納ケース内での軸まわりの回転を、接着剤を用いることなく確実に防止することである。【解決手段】円筒形の物品Ａの外周に嵌合する環状片３と、環状片３にその接線方向に延びるように取り付けられた舌状片４とからなる保持部材２を、環状片３に嵌め込まれた物品Ａと一体にケース本体１に収納して、保持部材２の舌状片４がその周縁でケース本体１の左右の側壁１ｂ、１ｄの内面に突き当たることにより、ケース本体１内での物品Ａの軸まわりの回転が規制されるようにしたのである。【選択図】図１
2007153370.tif 000002
【特許請求の範囲】
【請求項１】
円筒形または楕円筒形の物品を収納する筒状物品収納ケースにおいて、前記物品の外周に嵌合する環状片と、前記環状片にその接線方向に延びるように取り付けられた舌状片とからなる保持部材を、前記環状片に嵌め込まれた物品と一体に収納して、前記保持部材の舌状片がその周縁でケース内壁に突き当たることにより、前記保持部材と一体に収納された物品の軸まわりの回転が規制されるようにしたことを特徴とする筒状物品収納ケース。
【請求項２】
前記保持部材の環状片が、帯状体の両端部を接続して形成したものであることを特徴とする請求項１に記載の筒状物品収納ケース。
【請求項３】
前記保持部材の帯状体と舌状片とが、可撓性を有するシート状素材の打ち抜きにより、帯状体の側縁に舌状片の周縁の一部が接合された形状に一体成形されたものであることを特徴とする請求項２に記載の筒状物品収納ケース。
【発明の詳細な説明】
【技術分野】
【０００１】
本発明は、円筒形または楕円筒形の物品を収納する筒状物品収納ケースに関する。
【背景技術】
【０００２】
一般に、円筒形または楕円筒形の物品を角筒形のケースに収納して販売する場合には、ケースの正面を透明または半透明にして、物品の側面のデザインや文字がケースの外側からでも見えるようにしていることが多い。しかし、このような状態で物品をケースに収納しても、運搬時の振動等により物品が軸まわりに回転してそのデザインや文字のある部位がケース正面位置からずれ、店舗で陳列したり客先に納入したりする際に見栄えが悪くなることがある。
【０００３】
これに対して、ケース内での円筒形物品の軸まわりの回転を防止できる収納ケースとして、ケース側壁に透孔を設けて、片面接着剤付きシールラベルで透孔を覆うとともに収納した物品を接着固定するようにしたものが提案されている（特許文献１参照。）。
【特許文献１】実用新案登録第３０６３１５１号公報
【０００４】
しかしながら、上記特許文献１に記載された収納ケースでは、収納した物品とシールラベルとの間の接着力によっては、運搬時の振動等で物品がシールラベルから剥がれて回転してしまうおそれがある。一方、シールラベルを物品との接着力の強いものにすると、物品を使用するためにシールラベルから剥がしたときに、接着剤が物品に付着して物品が汚損しやすくなる。
【発明の開示】
【発明が解決しようとする課題】
【０００５】
本発明の課題は、円筒形または楕円筒形の物品の収納ケース内での軸まわりの回転を、接着剤を用いることなく確実に防止することである。
【課題を解決するための手段】
【０００６】
上記の課題を解決するために、本発明の筒状物品収納ケースは、円筒形または楕円筒形の物品の外周に嵌合する環状片と、前記環状片にその接線方向に延びるように取り付けられた舌状片とからなる保持部材を、前記環状片に嵌め込まれた物品と一体に収納して、前記保持部材の舌状片がその周縁でケース内壁に突き当たることにより、前記保持部材と一体に収納された物品の軸まわりの回転が規制されるようにしたのである。
【０００７】
上記の構成において、前記保持部材の環状片を、帯状体の両端部を接続して形成したものとすれば、環状片の厚みを薄くできるので、収納ケースの横断面寸法を収納する物品の径寸法とほぼ同じにしてケース全体のコンパクト化を図ることができる。
【０００８】
また、前記保持部材の帯状体と舌状片とを、可撓性を有するシート状素材の打ち抜きにより、帯状体の側縁に舌状片の周縁の一部を接合した形状に一体成形したものとすれば、保持部材の作製が容易になり、コストも安く抑えることができる。
【発明の効果】
【０００９】
本発明の筒状物品収納ケースは、上述したように、円筒形または楕円筒形の物品を保持部材の環状片に嵌め込んだ状態で収納して、保持部材の舌状片がその周縁でケース内壁に突き当たることにより、収納した物品の軸まわりの回転が規制されるようにしたものであるから、物品のケース内での回転を確実に防止して、見栄えの良い状態を維持することができる。また、物品の回転によるケース内壁との摺動をなくすことで、物品をキズつきにくくできる効果もある。
【発明を実施するための最良の形態】
【００１０】
以下、図面に基づき、この発明の実施形態を説明する。図１乃至図５は第１の実施形態を示す。この筒状物品収納ケースは、図１（ａ）〜（ｃ）に示すように、スプレー缶等の円筒形の物品Ａを収納するもので、正方形の横断面形状を有するケース本体１と、ケース本体１に物品Ａと一体に収納される保持部材２とからなる。
【００１１】
前記ケース本体１は、所定形状に打ち抜かれたプラスチックシートを折り曲げ、ケース背面側で重ね合わせた部分を接着して形成したもので、その横断面の正方形の一辺は物品Ａの直径よりわずかに長く形成されている。また、ケース正面の側壁１ａは半透明で、この側壁１ａを通して物品Ａ側面の所定の部位に貼り付けられたラベルＬのデザインや文字（図示省略）がケースの外側から見えるようになっている。一方、他の３面の側壁１ｂ、１ｃ、１ｄは、不透明で物品Ａに関する説明等（図示省略）が表示されている。
【００１２】
前記保持部材２は、物品Ａの外周に嵌合する環状片３と、環状片３にその接線方向に延びるように取り付けられた舌状片４とからなる。その環状片３は、後述するように、帯状体の両端部を接続したもので、その内周長が物品Ａの外周長にほぼ等しくなるように形成されている。一方、舌状片４は、ケース本体１の内法とほぼ同じ長さで、それよりも短い幅に形成されている。従って、この保持部材２を環状片３に嵌め込まれた物品Ａと一体にケース本体１に収納すると、舌状片４がその周縁でケース本体１の左右の側壁１ｂ、１ｄの内面（ケース内壁）に突き当たることにより、ケース本体１内での物品Ａの軸まわりの回転が規制される。
【００１３】
前記保持部材２を作製する際には、まず、可撓性を有するプラスチックシートを、図２（ａ）に示すように、環状片３の原形である帯状体３’の側縁に舌状片４の周縁の一部が接合された形状に打ち抜く。このように帯状体３’と舌状片４とをプラスチックシートの打ち抜きにより一体成形することにより、保持部材２の作製が容易になり、コストも安く抑えることができる。ここで、帯状体３’は、物品Ａの外周長とほぼ同じ長さで、長手方向の所定位置に２本の折曲線５ａが形成された定幅部５と、定幅部５の一端に連続するのりしろ部６を有している。そして、図２（ｂ）に示すように、帯状体３’を各折曲線５ａで折り曲げて、のりしろ部６を他端部の外側に重ねて接着することにより、物品Ａ外周長とほぼ等しい内周長の環状片３が形成される。その後、図２（ｃ）に示すように、舌状片４を環状片３の外周側へ折り曲げる。
【００１４】
この筒状物品収納ケースは、上記の構成であり、円筒形の物品Ａを保持部材２の環状片３に嵌め込んだ状態で収納して、保持部材２の舌状片４がその周縁でケース内壁に突き当たることにより、物品Ａの軸まわりの回転が規制されるようにしたので、運搬時の振動等を受けても物品ＡのラベルＬの貼られた部位がケース正面位置からずれることがなく、見栄えの良い状態を維持することができるし、物品Ａのケース内壁との摺動によるキズも発生しにくい。そして、物品Ａを使用するときには、物品Ａを保持部材２と一体にケース本体１から取り出した後、保持部材２を抜き取るだけでよく、前述の接着剤を使用した収納ケースのように物品が汚損するおそれもない。
【００１５】
また、保持部材２の環状片３が帯状体３’の両端部を接続して形成したものであり、その厚みがごく薄いため、ケース本体１の横断面寸法を物品Ａの径寸法とほぼ同じにすることができ、ケース全体がコンパクトになっている。なお、帯状体３’両端部の接続方法は接着に限らず、例えば、両端部の対応する位置にスリットを入れ、両端部をそれぞれのスリットの位置で交差するように重ね合わせるだけでもよい。
【００１６】
上述した実施形態では、保持部材２の舌状片４を環状片３の外周側へ折り曲げたが、図３に示すように、舌状片４は環状片３の下端側へ折り曲げても、その周縁でケース内壁に突き当たって物品Ａの軸まわりの回転を規制する機能を果たすことができる。また、舌状片４は少なくとも１枚あればよく、例えば、図４に示すように、保持部材２の原形を、帯状体３’の側縁に２枚の舌状片４がそれぞれの周縁の一部で接合したものとしてもよい。
【００１７】
なお、本発明は、ケース本体が実施形態のような正方形の横断面形状を有するものに限らず、ケース本体の横断面形状が三角形や五角形等の角筒形のものにも適用できるし、図５に一例を示すように、ケース本体７の側壁７ａ、７ｂが曲面で形成されたものに適用することもできる。図５の例では、可撓性を有するプラスチックシートで形成された保持部材２の舌状片４が、背面側の側壁７ｂの内面に沿って撓んで、正面側の側壁７ａの内面に突き当たるようになっている。また、ケース本体の形状によらず、収納する物品が楕円筒形の場合にも、もちろん本発明を適用することができる。
【００１８】
一方、第２の実施形態では、図６に示す保持部材８を用いる。この保持部材８は、図６（ａ）に示すように、環状片９と舌状片１０とを別々に形成し、図６（ｂ）に示すように、舌状片１０をその張出部１１で環状片９外周に接着剤や片面接着剤付きテープ等で貼り付けて、環状片９外周側へ折り曲げたものである。また、その環状片９は、図示省略した円筒形物品の外径と同じ内径の管状素材を管径方向に切断したものであり、舌状片１０はプラスチックシートを打ち抜いたものである。そして、この保持部材８を、図１で示したのと同様に、環状片９に物品を嵌め込んだ状態で図示省略したケース本体に収納する。
【図面の簡単な説明】
【００１９】
【図１】ａは第１実施形態の筒状物品収納ケースの分解斜視図、ｂはａの収納ケースの物品収納状態の正面図、ｃはｂの横断面図
【図２】ａ、ｂ、ｃは、それぞれ図１の保持部材の作製手順の説明図
【図３】保持部材の変形例の斜視図
【図４】保持部材の別の変形例の展開図
【図５】ケース本体形状の変形例の横断面図
【図６】ａは第２実施形態の保持部材の構成の説明図、ｂはａの保持部材の完成図
【符号の説明】
【００２０】
１  ケース本体
１ａ、１ｂ、１ｃ、１ｄ  側壁
２  保持部材
３  環状片
３’  帯状体
４  舌状片
５  定幅部
５ａ  折曲線
６  のりしろ部
７  ケース本体
７ａ、７ｂ  側壁
８  保持部材
９  環状片
１０  舌状片
１１  張出部
Ａ  物品
Ｌ  ラベル
【図１】
2007153370.tif 000003
【図２】
2007153370.tif 000004
【図３】
2007153370.tif 000005
【図４】
2007153370.tif 000006
【図５】
2007153370.tif 000007
【図６】
2007153370.tif 000008